(57)【要約】【課題】見本とする演奏者の演奏姿をわかりやすく確実に視認する。【解決手段】カラオケ装置１０Ｂの制御部１０１は、エレキギター４Ａを用いて特定の楽曲を演奏した投稿ユーザの姿を含みかつその利き腕情報と関連づけられた演奏動画を取得し、取得された演奏動画を再生し、再生される演奏動画に合わせエレキギター４Ｂを用いて上記特定の楽曲を演奏する演奏ユーザの利き腕情報を取得し、取得された利き腕情報と、投稿ユーザの利き腕情報とが一致するか否かを判定し、上記利き腕情報が一致すると判定された場合には左右を反転した鏡像表示により演奏動画を再生し、上記利き腕情報が一致しないと判定された場合には左右を反転しない通常表示により演奏動画を再生するように、再生手段を制御する。【選択図】図６
2016033616.tif 000002
【特許請求の範囲】
【請求項１】
第１ギター楽器を用いて特定の楽曲を演奏した第１演奏者の姿を含みかつ前記第１演奏者の第１利き腕情報と関連づけられた演奏動画を取得する、動画取得手段と、
前記動画取得手段により取得された前記演奏動画を再生する、再生手段と、
前記再生手段により再生される前記演奏動画に合わせ第２ギター楽器を用いて前記特定の楽曲を演奏する第２演奏者の、第２利き腕情報を取得する、利き腕情報取得手段と、
前記利き腕情報取得手段により取得された前記第２演奏者の前記第２利き腕情報と、前記第１演奏者の前記第１利き腕情報とが一致するか否かを判定する、判定手段と、
前記判定手段により前記第２利き腕情報と前記第１利き腕情報とが一致すると判定された場合には左右を反転した鏡像表示により前記演奏動画を再生し、前記判定手段により前記第２利き腕情報と前記第１利き腕情報とが一致しないと判定された場合には左右を反転しない通常表示により前記演奏動画を再生するように、前記再生手段を制御する再生制御手段と、
を有することを特徴とする演奏支援装置。
【請求項２】
請求項１記載の演奏支援装置において、
前記特定の楽曲を演奏する前記第２演奏者の姿を撮像する撮像手段を有し、
前記利き腕情報取得手段は、
前記撮像手段による撮像結果に基づき、前記第２演奏者の前記第２利き腕情報を自動取得することを特徴とする演奏支援装置。
【請求項３】
第１ギター楽器を用いて特定の楽曲を演奏した第１演奏者の姿を含みかつ前記第１演奏者の第１利き腕情報と関連づけられた演奏動画を取得する、動画取得手段と、
前記動画取得手段により取得された前記演奏動画を再生する、再生手段と、
前記再生手段により再生される前記演奏動画に合わせ第２ギター楽器を用いて前記特定の楽曲を演奏する第２演奏者の、第２利き腕情報を取得する、利き腕情報取得手段と、
前記利き腕情報取得手段により取得された前記第２演奏者の前記第２利き腕情報と、前記第１演奏者の前記第１利き腕情報とが一致するか否かを判定する、判定手段と、
前記判定手段により前記第２利き腕情報と前記第１利き腕情報とが一致すると判定された場合には左右を反転した鏡像表示により前記演奏動画を再生し、前記判定手段により前記第２利き腕情報と前記第１利き腕情報とが一致しないと判定された場合には左右を反転しない通常表示により前記演奏動画を再生するように、前記再生手段を制御する再生制御手段と、
を有することを特徴とする演奏支援システム。
【発明の詳細な説明】
【技術分野】
【０００１】
本発明は、再生される動画に合わせて演奏する演奏者を支援する演奏支援装置及び演奏支援システムに関する。
【背景技術】
【０００２】
ギター、ベースギター、マンドリン、ウクレレ等のギター楽器の演奏時に、演奏者を支援する演奏支援装置が既に知られている（例えば、特許文献１参照）。
【０００３】
この従来技術では、演奏者が演奏しようとする特定の楽曲を選択すると、その楽曲のＴＡＢ譜が表示パネルに表示される。これにより、演奏者は、表示されたＴＡＢ譜どおりに運指を行うことで、当該楽曲を円滑に演奏することができる。
【先行技術文献】
【特許文献】
【０００４】
【特許文献１】特開２０００−３９８３７号公報
【発明の概要】
【発明が解決しようとする課題】
【０００５】
上記従来技術によるＴＡＢ譜の表示に代え、演奏者による演奏をより円滑にするために、見本となる別の演奏者（以下適宜、第１演奏者という）の演奏姿を含む動画を再生表示することが考えられる。この場合、予め、上記第１演奏者が上記特定の楽曲を演奏したときの演奏動画が用意されており、その演奏動画が適宜の再生手段によって再生される。これから演奏しようとする演奏者（以下適宜、第２演奏者という）は、その再生される演奏動画中の第１演奏者の演奏姿を見本にして、当該特定の楽曲の演奏を練習したり演奏を楽しむことができる。
【０００６】
ここで、上記のように第２演奏者が第１演奏者の演奏姿を見本とする場合に、互いの利き腕（弦を弾く側の腕）が同一であったとすると、第２演奏者にとって、目の前で上記再生手段により再生される第１演奏者のギター楽器（以下適宜、第１ギター楽器）の向きは、自らが抱えるギター楽器（以下適宜、第２ギター楽器という）の向きとは逆向きとなる。
【０００７】
すなわち例えば、第１演奏者も第２演奏者も右利きの場合、第２演奏者から見て上記第２ギター楽器のヘッドは左側に位置しブリッジが右側に位置する一方、第２演奏者から見る（第１演奏者の演奏姿における）上記第１ギター楽器のヘッドは右側に位置しブリッジは左側に位置することとなる。したがって、第２演奏者が第１演奏者による演奏姿（運指やピッキングの態様等）を見本にしようとしても、見づらい場合があり得る。
【０００８】
本発明の目的は、見本とする演奏者の演奏姿をわかりやすく確実に視認することができる、演奏支援装置及び演奏支援システムを提供することにある。
【課題を解決するための手段】
【０００９】
上記目的を達成するために、第１及び第３の発明は、第１ギター楽器を用いて特定の楽曲を演奏した第１演奏者の姿を含みかつ前記第１演奏者の第１利き腕情報と関連づけられた演奏動画を取得する、動画取得手段と、前記動画取得手段により取得された前記演奏動画を再生する、再生手段と、前記再生手段により再生される前記演奏動画に合わせ第２ギター楽器を用いて前記特定の楽曲を演奏する第２演奏者の、第２利き腕情報を取得する、利き腕情報取得手段と、前記利き腕情報取得手段により取得された前記第２演奏者の前記第２利き腕情報と、前記第１演奏者の前記第１利き腕情報とが一致するか否かを判定する、判定手段と、前記判定手段により前記第２利き腕情報と前記第１利き腕情報とが一致すると判定された場合には左右を反転した鏡像表示により前記演奏動画を再生し、前記判定手段により前記第２利き腕情報と前記第１利き腕情報とが一致しないと判定された場合には左右を反転しない通常表示により前記演奏動画を再生するように、前記再生手段を制御する再生制御手段と、を有することを特徴とする。
【００１０】
本願発明においては、演奏者（第２演奏者）がギター楽器を用いて特定の楽曲を演奏しようとするとき、別の演奏者（第１演奏者）の演奏姿を活用することができる。すなわち、予め、上記第１演奏者が上記特定の楽器を演奏したときの演奏動画が用意されており、その演奏動画が動画取得手段によって取得される。そして、その取得された演奏動画が、再生手段によって再生される。上記第２演奏者は、その再生される演奏動画中の第１演奏者の演奏姿を見本にして、当該特定の楽曲の演奏を練習したり演奏を楽しむことができる。
【００１１】
そして、本願発明では、利き腕情報取得手段と、判定手段と、再生制御手段と、が設けられる。利き腕情報取得手段は、第２演奏者の利き腕情報（第２利き腕情報）を取得する。判定手段は、この第２利き腕情報が、上記動画取得手段により取得された演奏動画に関連づけられた第１演奏者の利き腕情報（第１利き腕情報）と一致するか否かを判定する。
【００１２】
そして、それら第２利き腕情報と第１利き腕情報と情報とが一致している場合には、再生制御手段の制御に基づき、再生手段が、上記取得された演奏動画を、左右を反転した鏡像表示によって再生する。これにより、例えば上記第１演奏者も第２演奏者も右利きの場合で、第２演奏者から見て第２ギター楽器のヘッドが左側にブリッジが右側に位置するときに、第２演奏者から見て（上記再生される第１演奏者の演奏姿における）第１ギター楽器についてもヘッドが左側にブリッジが右側に位置することとなる。この結果、第１演奏者の第１ギター楽器の向きを、自らが抱える第２ギター楽器の向きと同じ向きとすることができる（第１演奏者及び第２演奏者がともに左利きの場合も同様である）。
【００１３】
逆に、上記第２利き腕情報と第１利き腕情報と情報とが一致しない場合には、再生制御手段の制御に基づき、再生手段が、上記取得された演奏動画を、左右を反転しない通常表示によって再生する。これにより、例えば上記第１演奏者が右利きで第２演奏者が左利きの場合で、第２演奏者から見て第２ギター楽器のヘッドが右側にブリッジが左側に位置するときに、第２演奏者から見て（上記再生される第１演奏者の演奏姿における）第１ギター楽器についてもヘッドが右側にブリッジが左側に位置することとなる。同様に上記第１演奏者が左利きで第２演奏者が右利きの場合で、第２演奏者から見て第２ギター楽器のヘッドが左側にブリッジが右側に位置するときに、第２演奏者から見て（上記再生される第１演奏者の演奏姿における）第１ギター楽器についてもヘッドが左側にブリッジが右側に位置することとなる。すなわち、第１演奏者の第１ギター楽器の向きを、自らが抱える第２ギター楽器の向きと同じ向きとすることができる。
【００１４】
以上の結果、第１演奏者及び第２演奏者の利き腕が左右どちらである場合であっても、第２演奏者から見て、第１演奏者の第１ギター楽器の向きと、自らが抱える第２ギター楽器の向きと常に同じ向きとすることができる。これにより、第２演奏者は、見本とする第１演奏者による運指やピッキングの態様をわかりやすく確実に視認することができるので、利便性を向上することができる。
【００１５】
第２の発明は、上記第１発明において、前記特定の楽曲を演奏する前記第２演奏者の姿を撮像する撮像手段を有し、前記利き腕情報取得手段は、前記撮像手段による撮像結果に基づき、前記第２演奏者の前記第２利き腕情報を自動取得する
ことを特徴とする。
【００１６】
本願発明においては、撮像手段によって第２演奏者の演奏姿が撮像される。そして、その撮像結果を元に、利き腕情報取得手段が、（例えば公知のパターンマッチングや適宜の画像解析の手法により）第２演奏者の利き腕情報（第２利き腕情報）を自動取得する。
【００１７】
これにより、例えば第２演奏者が自ら手動で第２利き腕情報を操作入力する場合に比べ、第２演奏者の労力負担を低減し、さらに利便性を向上することができる。
【発明の効果】
【００１８】
本発明によれば、見本とする演奏者の演奏姿をわかりやすく確実に視認することができる。
【図面の簡単な説明】
【００１９】
【図１】本発明の一実施形態に係わる通信カラオケシステムの全体構成を表す機能ブロック図である。
【図２】リモコン、カラオケ装置の装置本体、及びホストサーバにおける、データ・信号の流れ及び処理手順を表すシーケンス図である。
【図３】カラオケ装置の装置本体の制御部により実行される、ステップＳＣ０の詳細手順を表すフローチャートである。
【図４】ホストサーバの楽曲投稿記憶部に記憶された投稿データのデータ構造の一例を表す説明図である。
【図５】投稿ユーザの利き腕と演奏ユーザの利き腕が同一である場合の挙動を説明する説明図である。
【図６】投稿ユーザの利き腕と演奏ユーザの利き腕が同一である場合に実行される、動画データ再生時の左右反転処理を説明する説明図である。
【図７】投稿ユーザの利き腕と演奏ユーザの利き腕が異なる場合の挙動を説明する説明図である。
【図８】カラオケ装置の装置本体の制御部により実行される、ステップＳＣ３の詳細手順を表すフローチャートである。
【図９】投稿ユーザの利き腕と演奏ユーザの利き腕とが一致する場合、異なる場合、それぞれで実行される再生態様の決定内容をまとめて示すテーブルである。
【発明を実施するための形態】
【００２０】
以下、本発明の一実施の形態について、図面を参照しつつ説明する。本実施形態は、本発明を通信カラオケシステムに適用した場合の実施形態である。
【００２１】
図１は、本実施形態に係わる通信カラオケシステムの全体構成を表す機能ブロック図である。
【００２２】
図１において、通信カラオケシステム１は、少なくとも１つのカラオケ装置（この例ではカラオケ装置１０Ａ及びカラオケ装置１０Ｂ）と、ホストサーバ２０と、を有している。
【００２３】
＜カラオケ装置＞
カラオケ装置１０Ａ，１０Ｂ（以下適宜、これらを総称して単に「カラオケ装置１０」という）は、例えばカラオケ店舗等のカラオケルームＫＲに設置されている。カラオケ装置１０は、楽曲データとしてのＭｕｓｉｃａｌ  Ｉｎｓｔｒｕｍｅｎｔ  Ｄｉｇｉｔａｌ  Ｉｎｔｅｒｆａｃｅ（ＭＩＤＩ；登録商標）データ及び映像データを用いて、カラオケ楽曲の再生サービスを提供する装置である。カラオケ装置１０、ホストサーバ２０、及び外部端末Ｐは、例えば通信ネットワーク等のネットワークＮＷとを介し、互いに情報送受信可能に接続されている。なお、後述するように、ネットワークＮＷに対し、少なくとも１つ（この例では２つ）の外部端末Ｐが接続されていてもよい。
【００２４】
カラオケ装置１０は、装置本体１００と、リモコン３５と、マイク３０と、カメラ２５と、を有している。なお、装置本体１００とリモコン３５とは、例えば無線又は有線のＬＡＮ等のネットワークを介し、互いに情報送受信可能に接続されている。装置本体１００とマイク３０及びカメラ２５とは、無線回線又は有線回線により接続されている。
【００２５】
装置本体１００は、制御部１０１と、大容量記憶装置１０３と、操作部１０４と、受信部１０５と、音源１０６と、音声制御部１０７と、スピーカ１０８と、表示部１０９と、通信制御部１１０と、ギター楽器（この例ではエレキギター４Ａ，４Ｂ）を接続可能な楽器接続ボード１１１と、を有している。
【００２６】
制御部１０１は、図示しないＣＰＵや、ＲＡＭ及びＲＯＭ等のメモリを備えている。この制御部１０１は、ＲＡＭの一時記憶機能を利用しつつ、ＲＯＭや上記大容量記憶装置１０３に予め記憶された各種プログラム（後述の図２、図３、及び図８に示す処理を実行するための制御プログラムを含む）を実行する。これにより、装置本体１００全体の制御を行う。
【００２７】
大容量記憶装置１０３は、例えばＨａｒｄ  Ｄｉｓｋ  Ｄｒｉｖｅ（ＨＤＤ）などから構成される。この大容量記憶装置１０３は、楽曲データ（ＭＩＤＩデータ）、背景映像データ、及び歌詞データ等の各種情報が記憶されている。
【００２８】
操作部１０４は、例えば複数のキーやスイッチなどから構成される。ユーザは、この操作部１０４又は上記リモコン３５を用いて、カラオケ楽曲の予約操作等の各種操作を行うことができる。
【００２９】
受信部１０５は、上記のマイク３０から出力された音声信号を受信する。
【００３０】
音源１０６は、上記制御部１０１によって大容量記憶装置１０３から読み出された楽曲データを再生して音声制御部１０７へ出力する。
【００３１】
楽器接続ボード１１１は、図示を省略するが、上記エレキギター４等のギター楽器の出力端子（フォンプラグ）を接続するそれぞれの入力端子（フォンジャック）と、各入力端子に入力される演奏信号をそれぞれ出力する出力端子と、が設けられている。そして、楽器接続ボード１１１は、各楽器の出力端子を入力端子に接続することによって各楽器が接続されたこと及びその楽器の種類を自動検出するとともに、接続された楽器の１つの演奏信号を選択し、その選択された演奏信号を音声制御部１０７へ出力可能である。例えばエレキギター４から出力される演奏信号は、エレキギター４のフォンプラグを接続するフォンジャック（図示省略）を介して楽器接続ボード１１１へ入力され、楽器接続ボード１１１の出力端子から出力される演奏信号は、音声制御部１０７へ入力される。
【００３２】
音声制御部１０７は、音源１０６から出力された楽曲データ、楽器接続ボード１１１から入力された上記演奏信号、及び、受信部１０５を介してマイク３０により入力された音声信号を増幅し、スピーカ１０８へ出力する。スピーカ１０８は、音声制御部１０７から出力された楽曲データ、演奏信号、及び音声信号を音声出力する。
【００３３】
なお、以下適宜、音源１０６、音声出力部１０７、及びスピーカ１０８を、省略して「音源１０６等」と称する。
【００３４】
表示部１０９は、例えば液晶ディスプレイなどから構成され、各種映像を表示する。特に、表示部１０９は、上記音源１０６等により楽曲データの再生が行われるのにしたがい、楽曲データの再生に同期して、大容量記憶装置１０３から読み出された背景映像データ、及び歌詞データに対応したテロップ等を表示する。
【００３５】
通信制御部１１０は、リモコン３５やホストサーバ２０との間で情報通信の制御を行う。
【００３６】
リモコン３５は、利用者がカラオケ楽曲の予約操作等の各種操作を複数のキーやスイッチ等で行うための操作端末である。
【００３７】
＜ホストサーバ＞
ホストサーバ２０は、例えば大容量記憶装置等からなる図示しない情報記憶手段を備えている。また、ホストサーバ２０は、楽曲投稿記憶部２２を機能的に備えている。この楽曲投稿記憶部２２の詳細機能については、後述する。
【００３８】
＜処理シーケンス＞
以上において、本実施形態の通信カラオケシステム１では、例えば、ユーザ（以下適宜、「投稿ユーザ」という）がエレキギター４Ａを用いて特定の楽曲を演奏して、その演奏姿を含む動画データをホストサーバ２０へ投稿することで、他のユーザ（以下適宜、「演奏ユーザ」という）が上記動画データを再生し閲覧することができる。以下、その詳細を、図２のシーケンス図を参照しつつ説明する。なお、図２において、カラオケ装置１０Ａの装置本体１００を「装置本体１」と略示するとともにカラオケ装置１０Ｂの装置本体１００を「装置本体２」と略示し、当該カラオケ装置１０Ｂのリモコン３５を「リモコン」と略示している。
【００３９】
＜投稿ユーザによる楽曲投稿＞
すなわち、この例では、カラオケ装置１０Ａにおいて、投稿ユーザ（第１演奏者に相当）が自らエレキギター４Ａ（第１ギター楽器に相当）を用いて特定の楽曲を演奏することで、その演奏動画（映像と音声とを含む動画データ）が、ホストサーバ２０へと投稿される。
【００４０】
具体的には、上記投稿ユーザは、例えばカラオケ装置１０Ａのリモコン３５又は操作部１０４を適宜に操作することで、カラオケ装置１０Ａの装置本体１００において演奏動画投稿処理が行われる（ステップＳＣ０）。このステップＳＣ０の演奏動画投稿処理を表すフローチャートを図３に示す。
【００４１】
図３において、まずステップＳ３００で、例えば上記投稿ユーザがカラオケ装置１０Ａのリモコン３５（又は操作部１０４）により例えばエレキギターの演奏パートを含む上記特定の楽曲を選曲すると、選曲に対応してホストサーバ２０から送信された楽曲データが制御部１０１において受信され、上記音源１０６等により当該楽曲データが演奏される。その楽曲データの演奏に合わせて上記投稿ユーザがエレキギター４Ａを演奏すると、エレキギター４Ａから出力される演奏信号は、楽器接続ボード１１を介して音声制御部１０７へ入力される。そして、音声制御部１０７により、音源信号がスピーカ１０８へ出力される。なお、いわゆるマイナスワン再生状態の場合には、音源信号のエレキギターの楽曲パートの一部がエレキギター４Ａの演奏信号と置き換えられて出力される。このようにして、上記投稿ユーザは、再生される楽曲に合わせてエレキギター４Ａを演奏することができる。その後、ステップＳ３１０に移る。
【００４２】
ステップＳ３１０では、カラオケ装置１０Ａの制御部１０１は、マイク３０及びカメラ２５を介し、上記投稿ユーザによる上記楽曲の演奏動画の収録（音声の録音、映像の録画）を開始させる。収録により取得された上記投稿ユーザの演奏の動画データは、大容量記憶装置１０３に記憶される。その後、ステップＳ３２０に移る。
【００４３】
ステップＳ３２０では、カラオケ装置１０Ａの制御部１０１は、上記ステップＳ３００で再生開始した楽曲データの再生が終了したか（言い換えれば上記動画の収録が終了したか）どうかを判定する。楽曲データの再生が終了せず判定が満たされない場合（Ｓ３２０：ＮＯ）には、ステップＳ３００に戻り、ステップＳ３００、ステップＳ３１０、ステップＳ３２０の手順を繰り返す。楽曲データの再生が終了したときは、判定が満たされて（Ｓ３２０：ＹＥＳ）、ステップＳ３３０に移る。
【００４４】
ステップＳ３３０では、カラオケ装置１０Ａの制御部１０１は、前述のステップＳ３１０で収録された動画データを、大容量記憶装置１０３から読み出す。そして、この動画データを、上記楽曲の曲ＩＤ、及び、当該投稿ユーザのユーザＩＤ（ログイン時に取得される）と関連付け、投稿データとしてホストサーバ２０に送信（アップロード）する。この投稿データを受信したホストサーバ２０は、曲ＩＤ（上記楽曲の曲ＩＤと共通でもよい。また、当該投稿データに固有の識別情報である投稿ＩＤを付与してもよい）、上記楽曲投稿記憶部２２に記憶する（ステップＳＳ１）。このとき、ホストサーバ２０は、上記楽曲投光記憶部２２への投稿データの記憶の際、当該投稿データの動画収録時の投稿ユーザの利き腕情報（左利きか右利きかを表す）も対応づけて併せて記憶する。この利き腕情報は、上記カラオケ装置１０Ａからの投稿の際に、投稿ユーザによるカラオケ装置１０Ａのリモコン３５（又は操作部１０４）の適宜の操作によって予め上記動画データに付加されている。あるいは、前述のようにして収録された動画データに基づき、カラオケ装置１０Ａの制御部１０１が、公知のパターンマッチングや適宜の画像解析の手法によって投稿ユーザが左利きか右利きかを判別し、対応する上記利き腕情報を上記動画データに付与してもよい。
【００４５】
＜データ構造＞
図４に、上記ホストサーバ２０の楽曲投稿記憶部２２に記憶された投稿データ（動画データ）のデータ構造の一例を示す。図４において、この例では、投稿データ２２０は、上記のようにして付与された、楽曲識別情報としての曲ＩＤ（あるいは曲名等でもよい）２２１と、上記動画データ２２３と、前述のようにして付加された上記利き腕情報２２２と、を備えている。
【００４６】
曲ＩＤ２２１は、投稿データ２２０のヘッダとして置かれている。動画データ２２３は、後述のようにホストサーバ２０からダウンロードされて例えばカラオケ装置１０Ａ，１０Ｂの大容量記憶装置１０３に記憶された後、読み出されて上記音源１０６等や表示部１０９によって再生することができる。
【００４７】
利き腕情報２２２は、上述したように、投稿ユーザが右利きか左利きかを表すものである。
【００４８】
なお、この例では、上記利き腕情報２２２が動画データ２２３と同一のファイルに組み込まれているが、これに限られない。すなわち、利き腕情報２２２が、動画データ２２３とは別ファイルで構成され、同じ曲名で対応付けられていてもよい。
【００４９】
なお、上記のようにして楽曲投稿記憶部２２に記憶された投稿データ２２０（曲ＩＤ２２１、動画データ２２３を含む）は、その後、例えば上記カラオケ装置１０Ａ，１０Ｂや外部端末Ｐ（以下適宜、「カラオケ装置１０等」という）でのユーザ（上記投稿ユーザでもよいし、上記演奏ユーザでもよい）の適宜の操作に基づく要求信号に基づき、ホストサーバ２０が、上記動画データの再生信号をカラオケ装置１０等へ出力する。これにより、当該カラオケ装置１０等において、上記動画データ２２０を視聴することができる。
【００５０】
＜演奏ユーザによる投稿楽曲のダウンロード＞
一方、上記のようにして上記投稿ユーザにおける上記特定の楽曲の動画データがホストサーバ２０に記憶された状態で、例えば上記演奏ユーザにより、カラオケ装置１０Ｂのリモコン３５で適宜の操作が行われることで、上記ホストサーバ２０の楽曲投稿記憶部２２に上記投稿データが記憶された楽曲の一覧がリモコン３５で取得され、表示される（ステップＳＲ１）。上記演奏ユーザによるカラオケ装置１０Ｂのリモコン３５での適宜の操作により特定の楽曲が予約されると（ステップＳＲ２）、当該演奏ユーザのユーザＩＤ（この時点でログインしている）と、当該楽曲の曲ＩＤ２２１とが、カラオケ装置１０Ｂの装置本体１００へ送信される。当該特定の楽曲の曲ＩＤ２２１が装置本体１００の制御部１０１により取得されると、この曲ＩＤを含む投稿楽曲のダウンロード要求が、カラオケ装置１０Ｂの制御部１０１からホストサーバ２０へと送信される（ステップＳＣ１）。これに応じて、ホストサーバ２０では、上記楽曲投稿記憶部２２において上記曲ＩＤを含む投稿データの検索が行われ、当該曲ＩＤを備えた上記投稿楽曲の投稿データ２２０（動画データ２２４、利き腕情報２２２を含む）が、ホストサーバ２０からカラオケ装置１０Ｂへと送信されて制御部１０１において取得され、大容量記憶装置１０３に記憶される（ステップＳＳ２）。なお、このステップＳＳ２で上記のように投稿データ２２０を取得するカラオケ装置１０Ｂの制御部１０１が、各請求項記載の動画取得手段として機能する。
【００５１】
＜利き腕の一致・不一致による再生動画の見やすさ・見づらさ＞
既に述べたように、上記演奏ユーザは、カラオケ装置１０Ｂにおいて上記取得された動画データが再生されることで、その再生により表示部１０９に表示される演奏動画中の上記投稿ユーザの演奏姿を見本にして、エレキギター４Ｂを用いて上記特定の楽曲の演奏を練習したり演奏を楽しむことができる。
【００５２】
ところで、上記のように演奏ユーザが上記投稿ユーザの演奏姿を見本とする場合に、互いの利き腕（弦を弾く側の腕）が同一であったとすると、演奏ユーザにとって、目の前で表示される投稿ユーザのエレキギター４Ａの向きは、自らが抱えるエレキギターＢの向きとは逆向きとなる。
【００５３】
すなわち例えば、投稿ユーザも演奏ユーザも右利きの場合、図５に示すように、演奏ユーザから見て自分のエレキギター４Ｂのヘッドは左側に位置しブリッジが右側に位置する一方、投稿ユーザの演奏姿におけるエレキギター４Ａのヘッドは（演奏ユーザから見て）右側に位置しブリッジは左側に位置することとなる。したがって、演奏ユーザが投稿ユーザによる運指やピッキングの態様を見本にしようとしても、見づらい場合があり得る。
【００５４】
このような場合、本実施形態では、図６に示すように、上記投稿ユーザの演奏動画を、左右を反転した鏡像表示によって再生する。これにより、演奏ユーザから見て、上記投稿ユーザの演奏姿でのエレキギター４Ａについても、ヘッドを左側にブリッジを右側に位置させることができる。この結果、投稿ユーザのエレキギター４Ａの向きを、演奏ユーザ自らが抱えるエレキギター４Ｂの向きと同じ向きとし、見やすくすることができる（なお、投稿ユーザ及び演奏ユーザがともに左利きの場合も同様）。
【００５５】
逆に、投稿ユーザが演奏ユーザと異なり左利きであった場合（図１に示される、エレキギター４Ａを抱えた投稿ユーザ及びエレキギター４Ｂを抱えた演奏ユーザは、この例に該当している）には、上記のような反転は行わない。これにより、図７に示すように、右利きである演奏ユーザから見て自らのエレキギター４Ｂのヘッドが左側にブリッジが右側に位置するときに、演奏ユーザ演奏者から見て、上記再生される左利きの投稿ユーザの演奏姿におけるエレキギター４Ａについてもヘッドを左側にブリッジを右側に位置させることができる。この結果、投稿ユーザのエレキギター４Ａの向きを、演奏ユーザ自らが抱えるエレキギター４Ｂの向きと同じ向きとし、見やすくすることができる（なお、投稿ユーザが右利きで演奏ユーザが左利きの場合も同様）。
【００５６】
＜再生態様決定処理＞
上記手法を実行するために、動画データを受信したカラオケ装置１０Ｂでは、当該受信した動画データに対し、再生態様決定処理が実行される（ステップＳＣ３）。この再生態様決定処理の詳細を表すフローチャートを図８に示す。
【００５７】
図８において、この時点で、カラオケ装置１０Ｂでは、上記演奏ユーザが、エレキギター４Ｂを抱えた演奏準備態勢となっている。この状態で、上記演奏ユーザが例えばカラオケ装置１０Ｂのリモコン３５又は操作部１０４を適宜に操作することにより、まずステップＳ１００で、カラオケ装置１０Ｂの制御部１０１は、カラオケ装置１０Ｂのカメラ２５を介して撮像された、演奏ユーザの上記演奏準備態勢の撮像映像を取得する。なお、上記カラオケ装置１０Ｂのカメラ２５が、各請求項記載の撮像手段に相当する。
【００５８】
そして、ステップＳ１０５で、カラオケ装置１０Ｂの制御部１０１は、上記投稿ユーザの利き腕情報を取得する。この利き腕情報についても、前述の投稿ユーザの利き腕情報と同様、演奏ユーザによるカラオケ装置１０Ｂのリモコン３５（又は操作部１０４）の適宜の操作によって事前に入力されていてもよいし、上記ステップＳ１００で取得された撮像結果に基づき、カラオケ装置１０Ｂの制御部１０１が、公知のパターンマッチングや適宜の画像解析の手法によって演奏ユーザが左利きか右利きかを判別してもよい。なお、このステップＳ１０５を実行するカラオケ装置１０Ｂの制御部１０１が、各請求項記載の利き腕情報取得手段として機能する。
【００５９】
その後、ステップＳ１１０に移り、カラオケ装置１０Ｂの制御部１０１は、上記ステップＳ１０５で取得された演奏ユーザの利き腕情報（左利きか右利きか）が、上記ステップＳＳ２でホストサーバ２０から受信した動画データに付随する、上記投稿データの利き腕情報（左利きか右利きか）と一致するか否かを判定する。２つの利き腕情報が一致（投稿ユーザ及び演奏ユーザがともに左利き、若しくはともに右利き）していたら判定が満たされ（Ｓ１１０：ＹＥＳ）、ステップＳ１３０に移る。２つの利き腕情報が不一致（投稿ユーザ左利きで演奏ユーザ右利き、若しくは投稿ユーザ右利きで演奏ユーザ左利き）であったら判定が満たされず（Ｓ１１０：ＮＯ）、後述のステップＳ１４０に移る。なお、このステップＳ１１０を実行するカラオケ装置１０Ｂの制御部１０１が、各請求項記載の判定手段として機能する。
【００６０】
ステップＳ１３０では、カラオケ装置１０Ｂの制御部１０１は、前述の図６を用いて説明した左右を反転した鏡像表示を実現するために、再生態様に係わる設定を「左右反転あり」に設定する。そして、このルーチンを終了する。
【００６１】
一方、ステップＳ１４０では、カラオケ装置１０Ｂの制御部１０１は、前述の図７を用いて説明した左右反転のない通常の表示を実現するために、再生態様に係わる設定を「左右反転なし」に設定する。そして、このルーチンを終了する。
【００６２】
上記ステップＳ１１０、ステップＳ１３０、ステップＳ１４０の処理により実現される、投稿ユーザの利き腕と演奏ユーザの利き腕との組み合わせごとの再生態様を、図９にまとめて示す。前述したように、演奏ユーザが右利きで投稿ユーザも右利きであった場合には左右反転した再生が行われ、演奏ユーザが左利きで投稿ユーザも右利きであった場合も、同様に左右反転した再生が行われる。一方、演奏ユーザが右利きで投稿ユーザが左利きであった場合には上記の左右反転した再生は行われず、演奏ユーザが左利きで投稿ユーザが右利きであった場合も上記の左右反転した再生は行われない。
【００６３】
なお、上記ステップＳ１３０、ステップＳ１４０を実行するカラオケ装置１０Ｂの制御部１０１が、各請求項記載の再生制御手段として機能する。
【００６４】
図２に戻り、上記ステップＳ１３０又はステップＳ１４０が終了すると、カラオケ装置１０Ｂの制御部１０１は、上記ステップＳＳ２で取得された動画データを再生する。すなわち、制御部１０１の制御に基づき、上記ステップＳＳ２で取得された動画データが上記大容量記憶装置１０３から読み出されて音源１０６等及び表示部１０９によって再生される（ステップＳＣ４）。このとき、当該動画データに含まれる映像は、上記ステップＳ１３０又はステップＳ１４０で決定された再生態様（すなわち「左右反転あり」又は「左右反転なし」の態様）で、表示部１０９において表示される。このステップＳＣ４を実行するカラオケ装置１０Ｂの制御部１０１が、各請求項記載の再生手段として機能する。
【００６５】
なお、以上説明した構成のうち、カラオケ装置１０Ｂにおける制御部１０１とカメラ２５とが、各請求項記載の演奏支援装置に相当している。
【００６６】
以上説明したように、本実施形態においては、演奏ユーザの利き腕情報が、上記動画データに関連づけられた投稿ユーザの利き腕情報と一致するか否かが判定され、一致している場合には、演奏ユーザの演奏動画が、左右を反転した鏡像表示によって表示部１０６で再生される（図８のステップＳ１３０参照）。これにより、見た目上の投稿ユーザのエレキギター４Ａの向きを、演奏ユーザが自ら抱えるエレキギター４Ｂの向きと同じ向きとすることができる（図６参照）。
【００６７】
逆に、演奏ユーザの利き腕情報と投稿ユーザの利き腕情報とが一致しない場合には、上記のような左右反転を行わない通常表示によって演奏ユーザの演奏動画が再生される。これにより、この場合も、上記同様、見た目上の投稿ユーザのエレキギター４Ａの向きを、演奏ユーザが自ら抱えるエレキギター４Ｂの向きと同じ向きとすることができる（図７参照）。
【００６８】
以上の結果、投稿ユーザ及び演奏ユーザの利き腕が左右どちらである場合であっても、演奏ユーザから見て、投稿ユーザのエレキギター４Ａの向きと、自らが抱えるエレキギター４Ｂの向きと常に同じ向きとすることができる。これにより、演奏ユーザは、見本（お手本）とする投稿ユーザによる運指やピッキングの態様をわかりやすく確実に視認することができるので、利便性を向上することができる。
【００６９】
また、本実施形態では特に、カラオケ装置１０Ｂのカメラ２５によって演奏ユーザのエレキギター４Ｂの演奏姿が撮像される。そして、その撮像結果を元に、前述した公知のパターンマッチングや適宜の画像解析の手法により当該演奏ユーザの利き腕情報を自動取得することもできる。この場合には、演奏ユーザが自ら手動で自分の利き腕情報を操作入力する場合に比べ、演奏ユーザの労力負担を低減し、さらに利便性を向上できる効果がある。
【００７０】
なお、本発明は上記実施形態に限られるものではなく、その趣旨及び技術的思想を逸脱しない範囲内で種々の変形が可能である。以下、そのような変形例を順を追って説明する。
【００７１】
（１）見本とする演奏動画を外部端末から取得する場合
上記においては、演奏ユーザがエレキギター４Ｂを演奏するときの見本（お手本）とする動画データが、カラオケ装置１０Ａにおいて投稿ユーザの演奏を収録したものであったが、これに限られない。すなわち、上記動画データとして、上記投稿ユーザがカラオケルームＫＲ以外の箇所（自宅など）で適宜の撮影機材や録音機器を用いて収録したものを用いてもよい。この場合、当該動画データを、カラオケルームＫＲ外の上記自宅等に配置された上記外部端末Ｐから送信してもよい（図２のステップＳＰ１参照）。上記ステップＳＳ１では、ホストサーバ２０は、上記のようにして外部端末Ｐから送信された動画データに対し、曲ＩＤと利き腕情報とを付与して記憶する。
【００７２】
さらには、上記のようにユーザから投稿された演奏動画にも限られず、上記動画データとして、予め上記特定の楽曲の演奏支援用に制作され記憶されたもの（例えば、プロミュージシャンが演奏した演奏動画や、バーチャルな手法で描画した演奏動画）を用いてもよい。この場合、そのような（アマチュアユーザの投稿ではない）演奏動画が、ステップＳＳ２において、ホストサーバ２０からカラオケ装置１０Ｂへと送信される。この場合も、（当該演奏動画中の演奏者の利き腕情報が関連づけられてさえいれば）上記実施形態と同様の効果を得ることができる。
【００７３】
（２）演奏ユーザによる演奏がさらに投稿される場合
すなわち、上記のようにして見本となる動画データを再生しながら演奏した、演奏ユーザの演奏姿をさらにカメラ２５及びマイク３０を介して収録し、新たな演奏動画としてホストサーバ２０へと投稿するようにしてもよい。この投稿データは、さらに別のユーザが、上記と同様に、見本（お手本）として用いることができ、その際に、上記の手法により、見た目上の互いのギターの向きを揃えることもできる。
【００７４】
なお、図２、図３、図８等に示すシーケンスやフローチャートは本発明を上記フローに示す手順に限定するものではなく、発明の趣旨及び技術的思想を逸脱しない範囲内で手順の追加・削除又は順番の変更等をしてもよい。
【００７５】
具体的には、ホストサーバ２０の楽曲投稿記憶部２２をカラオケ装置１０Ａ，１０Ｂに組み込んで、大容量記憶装置１０３と一定化し、制御部１０１に動画データの書き込み（アップロード相当）と、読み込み（取得相当）、及びＳＳ１、ＳＳ２相当の処理を実行させることで、システムを一定化した装置とするなど、上記実施形態や各変形例による手法を適宜組み合わせて利用しても良い。
【００７６】
その他、一々例示はしないが、本発明は、その趣旨を逸脱しない範囲内において、種々の変更が加えられて実施されるものである。
【符号の説明】
【００７７】
４Ａ              エレキギター（第１ギター楽器）
４Ｂ              エレキギター（第２ギター楽器）
１０Ｂ            カラオケ装置
１０１            制御部
【図１】
2016033616.tif 000003
【図２】
2016033616.tif 000004
【図３】
2016033616.tif 000005
【図４】
2016033616.tif 000006
【図５】
2016033616.tif 000007
【図６】
2016033616.tif 000008
【図７】
2016033616.tif 000009
【図８】
2016033616.tif 000010
【図９】
2016033616.tif 000011